(57)【要約】【課題】一端を弦楽器本体のくびれ部の一部に掛かるように取り付け、他端を弦楽器本体の下部に備えられた顎当て近傍に取り付けることにより、弦楽器演奏時の音の響きを低下させることなく演奏者による弦楽器の支持を無理なくサポートする弦楽器用肩当てを提供する。【解決手段】本発明による弦楽器用肩当ては、演奏者の肩または胸で一部を支持しながら演奏する弦楽器に取り付けて使用する弦楽器用肩当てであって、前記弦楽器用肩当ては、一端から他端に延長される板状の本体部と、本体部の両端に備えられた第１取付け部及び第２取付け部とを有し、前記第１取付け部はくびれ部を有する弦楽器本体の少なくともくびれ部の一部に掛かるように取り付けられ、前記第２取付け部は弦楽器本体の下部に備えられた顎当て近傍に取り付けられるように構成されることを特徴とする。【選択図】図１
2019211675.tif 000002
【特許請求の範囲】
【請求項１】
演奏者の肩または胸で一部を支持しながら演奏する弦楽器に取り付けて使用する弦楽器用肩当てであって、
前記弦楽器用肩当ては、一端から他端に延長される板状の本体部と、本体部の両端に備えられた第１取付け部及び第２取付け部とを有し、
前記第１取付け部はくびれ部を有する弦楽器本体の少なくともくびれ部の一部に掛かるように取り付けられ、
前記第２取付け部は弦楽器本体の下部に備えられた顎当て近傍に取り付けられるように構成されることを特徴とする弦楽器用肩当て。
【請求項２】
前記第１取付け部は弦楽器の高音側の弦に近いくびれ部の一部に掛かるように取り付けられ、
前記第２取付け部は顎当ての前記第１取付け部と対向する側の近傍に取り付けられることを特徴とする請求項１に記載の弦楽器用肩当て。
【請求項３】
前記弦楽器用肩当ての本体部は演奏者の肩または胸の体形に合うように湾曲して肩または胸に当接するとともに前記第２取付け部を支持する肩当て部と、肩当て部から延長されて前記第１取付け部を支持する支持部とを含むことを特徴とする請求項２に記載の弦楽器用肩当て。
【発明の詳細な説明】
【技術分野】
【０００１】
本発明は、弦楽器用肩当てに関し、特に一端を弦楽器本体のくびれ部の一部に掛かるように取り付け、他端を弦楽器本体の下部に備えられた顎当て近傍に取り付けることにより、弦楽器演奏時の音の響きを低下させることなく演奏者による弦楽器の支持を無理なくサポートする弦楽器用肩当てに関する。
【背景技術】
【０００２】
バイオリンやビオラなどの弦楽器は、演奏者が弦楽器本体の下部を肩と顎との間に支持するとともにネック部を一方の手で保持しながら弦を押さえ、他方の手に保持した弓を使って演奏を行う。
これらの弦楽器の本体は木製であり固く滑りやすい上、発する音が重要視されるため、弦楽器本体の形状は特に演奏者が支持しやすい形状には作られてはいない。このため演奏者の顎の当たりを柔らかくしたり、弦楽器が滑り落ちにくくしたりする目的で、弦楽器本体の下部には顎当てを取り付けて使用する。
【０００３】
さらに演奏者の肩での支持をより安定化するために、弦楽器の裏面側に肩当てが利用されることも多い。従来の肩当ては一般的には湾曲部を有する棒状又は細長い板状であり、両端部には弦楽器に取り付けるための取付け部が備えられている。通常バイオリンやビオラなどの弦楽器の演奏の際は、弦楽器は概ね一方の肩に沿う方向ないしは斜め前方に向くように支持される。このため肩当ては肩と交差する方向となるように、楽器本体下部の左右のふくらみ部に架け渡して取り付けられる。
【０００４】
特許文献１は弦楽器から取り外した後の持ち運び性を改善したバイオリン等楽器用の肩当てに関する発明であるが、長尺で堅牢な基部と二つの端部に支持部と締結部材が折りたたみ可能に取り付けられた肩当てが開示されている。しかし本質的には楽器本体下部の左右のふくらみ部に架け渡して取り付けられる従来の方式のバイオリン用肩当ての一つと見ることができる。
【０００５】
こうした従来の方式のバイオリン用肩当ては、弦楽器を安定して支持しようとすると、演奏者は弦楽器を概ね一方の肩に沿う方向に向け、頸椎を前に伸ばした形で顎当てに顎を載せる形となり、首に負担がかかりやすい。
さらに、従来の方式のバイオリン用肩当ては、弦楽器を支持した際や演奏中の動きに対して身体に対するフィット感が得られにくく、特に小柄で手の長くない演奏者にとっては必ずしも馴染みがよいものではない。支持しやすい位置に支持して演奏しようとすると、肩の上の高い位置に支持された弦楽器に対し、弦楽器を支持する側の手で押さえる弦の位置を変えながら、もう一方の手で弓を操作することになるが、姿勢の関係で弦楽器を支持する側の手では動きの中心となる肘が外側に開き気味になり、肘や肩甲骨が楽に回転し辛くなるため円滑なスライド動作を行いにくく、弓を操作する側の手では肩の動きが制約され、演奏に使用する弓の使用範囲が全長に亘って有効に使用し辛いためである。また楽器本体下部の左右のふくらみ部に架け渡して取り付けると、弦楽器本来の音の響きや音の伸びが十分発揮されないことが発明者によって見出された。
【０００６】
そこで多くの演奏者にとって使いやすく、また弦楽器本来の音の響きを低下させることの無い弦楽器用の肩当ての提供が望まれる。
【先行技術文献】
【特許文献】
【０００７】
【特許文献１】特開平７−２７１３５２号公報
【発明の概要】
【発明が解決しようとする課題】
【０００８】
本発明は、上記従来の弦楽器用肩当てにおける問題点に鑑みてなされたものであって、本発明の目的は、一端を弦楽器本体のくびれ部の一部に掛かるように取り付け、他端を弦楽器本体の下部に備えられた顎当て近傍に取り付けることにより、弦楽器演奏時の音の響きを低下させることなく演奏者による弦楽器の支持を無理なくサポートする弦楽器用肩当てを提供することにある。
【課題を解決するための手段】
【０００９】
上記目的を達成するためになされた本発明による弦楽器用肩当ては、演奏者の肩または胸で一部を支持しながら演奏する弦楽器に取り付けて使用する弦楽器用肩当てであって、前記弦楽器用肩当ては、一端から他端に延長される板状の本体部と、本体部の両端に備えられた第１取付け部及び第２取付け部とを有し、前記第１取付け部はくびれ部を有する弦楽器本体の少なくともくびれ部の一部に掛かるように取り付けられ、前記第２取付け部は弦楽器本体の下部に備えられた顎当て近傍に取り付けられるように構成されることを特徴とする。
【００１０】
前記第１取付け部は弦楽器の高音側の弦に近いくびれ部の一部に掛かるように取り付けられ、前記第２取付け部は顎当ての前記第１取付け部と対向する側の近傍に取り付けられることが好ましい。
【００１１】
前記弦楽器用肩当ての本体部は演奏者の肩または胸の体形に合うように湾曲して肩または胸に当接するとともに前記第２取付け部を支持する肩当て部と、肩当て部から延長されて前記第１取付け部を支持する支持部とを含むことが好ましい。
【発明の効果】
【００１２】
本発明に係る弦楽器用肩当てによれば、弦楽器本体のくびれ部、特に高音側のくびれ部の一部に掛かるように取り付け、他端を弦楽器本体の下部に架け渡すように取り付けるために音の響きや音の伸びを低下させることなく弦楽器本来の音を奏でることができる。
また本発明に係る弦楽器用肩当てによれば、本体部の肩当て部は演奏者の肩または胸の体形に合うように湾曲して肩または胸に当接するため演奏者は無理のない姿勢で、又安定して弦楽器を支持することができ、小柄で手の長くない演奏者にとっても使い勝手の良い支持方法を提供することができる。
【図面の簡単な説明】
【００１３】
【図１】本発明の実施形態による弦楽器用肩当ての弦楽器への取り付け状態を概略的に示す図である。
【図２】本発明の実施形態による弦楽器用肩当ての本体部の形状を示す図面である。
【図３】本発明の実施形態による弦楽器用肩当ての全体構造を示す図面である。
【図４】本発明の実施形態による弦楽器用肩当てを使用する場合の演奏者による支持状態を概略的に示す図である。
【発明を実施するための形態】
【００１４】
次に、本発明に係る弦楽器用肩当てを実施するための形態の具体例を、図面を参照しながら詳細に説明する。
図１は、本発明の実施形態による弦楽器用肩当ての弦楽器への取り付け状態を概略的に示す図であり、図１（ａ）は弦楽器用肩当てを取り付ける弦楽器の裏面側から見た図であり、図１（ｂ）は、図１（ａ）を右側面側から見た側面図である。
【００１５】
図１を参照すると、本発明の実施形態による弦楽器用肩当て１は、演奏者の肩または胸で一部を支持しながら演奏する弦楽器１００の裏面側に取り付けて使用する弦楽器用肩当てであって、一端から他端に延長される板状の本体部１０と本体部１０の両端に備えられた第１取付け部２０及び第２取付け部３０とを有する。
バイオリンやビオラなどの弦楽器１００は、弦楽器本体１１０の中でも弦楽器本体下部１３０を肩と顎とで挟んで支持するのが基本的な持ち方なので、弦楽器用肩当て１の第２取付け部３０は弦楽器本体下部１３０に取り付ける。
【００１６】
従来技術の肩当ては、両端部の取付け部はともに弦楽器本体下部１３０に取り付けて使用され、弦楽器本体下部１３０をほぼ水平に横断するように架け渡されて取り付けられる。
これに対し、実施形態による弦楽器用肩当て１の第１取付け部２０は、弦楽器本体１１０の中ほどにあるくびれ部１２０に掛かるように、より詳細には、くびれ部１２０と弦楽器本体下部１３０との境界をなすコーナー部１４０を跨ぐように取り付けられる。このように一端をくびれ部１２０の一部に掛かるように取り付けるのは、このような取り付け方をすることにより、従来技術の肩当てに比べて弦楽器１００の発する音の響きが向上することが発明者により見出されているからである。
【００１７】
弦楽器１００の音は、弓によって与えられた弦の振動が、弦を支持する駒を介して表板に伝わり、更に表板と裏板との間に挿入された魂柱を経て裏板に伝わり、その結果、弦楽器本体１１０の中にある空気が表板と裏板により振動されてｆ字口から大きな音として発せられる。即ち、音質を低下させず、弦楽器１００の本来の音を発生させるためには表板と裏板の振動を阻害しないことが重要である。
【００１８】
弦楽器用肩当て１の取り付けられるコーナー部１４０は、裏板、くびれ部１２０の側板、及び弦楽器本体下部１３０の側板の３つの板材が集約される特異点であり、突起状に張り出した裏板のコーナー部１４０近傍は裏板の周辺にあるエッジ部にて２方向から拘束されるために最も振動に寄与しにくい部分となっている。このためこの部分に取付け部が接触しても裏板の振動を阻害することはなく、したがって弦楽器１００本来の音を引き出すのに寄与していると考えられる。
【００１９】
弦楽器用肩当て１の本体部１０は、演奏者が弦楽器１００を支持するのに有効に寄与する肩当て部１１と、第１取付け部２０を支持するために、肩当て部１１からコーナー部１４０に向かって斜め方向に延長される支持部１５とを含む。肩当て部１１はさらに、主に演奏者の肩に当接する肩当て領域１２と、主に演奏者の胸に当接する胸当て領域１３とを含む。肩当て領域１２は本体部１０の支持部１５とは反対側の端部にあり、第２取付け部３０を支持する。
【００２０】
弦楽器１００は大半が左手で弦楽器１００を支持し、右手に弓をもって演奏するように作られる。このため左肩に弦楽器１００を支持した際に、演奏部分が顔より前に来るように、顎当て１５０は表側から見て弦楽器１００の左側、即ち低音の弦が張られる側の弦楽器本体下部１３０に取り付けられる。図１（ａ）の様に裏側から見ると顎当て１５０は右側の弦楽器本体下部１３０に取り付けられる。第２取付け部３０は弦楽器本体下部１３０に取り付けられた顎当て１５０の近傍に取り付けられる。
【００２１】
弦楽器１００は表側から見ると弦は左側が一番低音であり、右側に行くほど高音の弦が張られる。逆に図１（ａ）の様に裏側から見ると右側の弦が低音であり、一番左側の弦が高音である。そこでこの位置関係に着目すると、実施形態における弦楽器用肩当て１の第１取付け部２０は弦楽器１００の高音側の弦に近いくびれ部１２０の一部に掛かるように取り付けられ、第２取付け部３０は顎当て１５０の第１取付け部２０と対向する側の近傍に取り付けられる。
【００２２】
図１（ｂ）を参照すると、第２取付け部３０は弦楽器本体１１０の裏板と側板の境界面に形成されたエッジ部を抱えるように弦楽器本体１１０に取り付けられ、弦楽器用肩当て１の本体部１０は、第１取付け部２０及び第２取付け部３０により弦楽器本体１１０から離隔されて取り付けられる。
【００２３】
図２は、本発明の実施形態による弦楽器用肩当ての本体部の形状を示す図面である。図２（ａ）は弦楽器用肩当ての本体部を演奏者に当接する面から見た平面図であり、図２（ｂ）は板厚方向から見た正面図である。
図２を参照すると、本体部１０は平板が２か所で折れ曲がった構造を有しており、肩当て部１１と支持部１５との間は折り曲げ線Ｂで仕切られ、肩当て部１１内の肩当て領域１２と胸当て領域１３との間は折り曲げ線Ａで仕切られる。バイオリンとビオラのように、弦楽器１００によって弦楽器本体１１０の大きさが異なるので、本体部１０の全体的な長さは弦楽器本体１１０の大きさに合わせて形成されるが、基本的な折れ曲がり構造を有することに変わりはない。
尚、図２の本体部１０の折り曲げ線は明確に外観で確認できるほど厳密である必要はなく、他の実施形態では肩当て部１１と支持部１５との間は丸みを帯びてなだらかにつながった形状でもよく、肩当て領域１２と胸当て領域１３との間も丸みを帯びてなだらかにつながった形状でもよい。また図２では、肩当て領域１２、胸当て領域１３、支持部１５はそれぞれ直線的な平板状に示すが、これらも湾曲した板や丸みを帯びた板で構成してもよい。
【００２４】
図２（ｂ）のように肩当て領域１２を水平に置いてこれを基準にした場合、折り曲げ線Ａは谷折り線であり、胸当て領域１３は肩当て領域１２との境界部から所定の角度で立ち上がる。図１を併せて参照すると胸当て領域１３は弦楽器本体１１０の裏板から離れる方向に立ち上がる。折り曲げ線Ｂは山折り線であり、支持部１５は胸当て領域１３との境界部から所定角度で立ち下がる。一番低くなる支持部１５の末端の上縁は肩当て領域１２の上面の高さと同じ高さとなるように構成される。
本体部１０の形状で最も重要なのは演奏者の肩及び肩から胸にかけて当接する肩当て領域１２と胸当て領域１３であり、胸当て領域１３が肩当て領域１２から立ち上がった形状であれば支持部１５の末端の上縁の高さは上記のように限定される必要はなく、様々な高さに変形可能である。
【００２５】
肩当て部１１が弦楽器１００を支持するのに直接寄与する部分であるのに対し、支持部１５は第１取付け部２０を支持するための意味合いしかないことから、その形状は板状に限らず棒状でもよく、また直線状である必要もないが、胸当て領域１３との境界部から所定角度で立ち下げることにより弦楽器１００を様々な向きに支持した場合でも演奏者に邪魔にならないようになる。
実施形態では最も高くなる折り曲げ線Ｂの高さと、肩当て領域１２の上面の高さとの高低差は約１０ｍｍであるが、この高低差は厳密なものではなく、弦楽器の種類や演奏者の体形により１０ｍｍ以下でも１０ｍｍ以上でもよい。
本体部１０は、樹脂、木、金属など様々な材料で形成され得る。また演奏者の肩へのあたりを和らげるために樹脂、木、金属などの硬質な基材の上に柔軟な樹脂、布、皮革などの緩衝材を貼り合わせた複合体としてもよい。
【００２６】
肩当て部１１には湾曲部１４が形成される。湾曲部１４は演奏者の肩または胸の体形に合うように形成されるものである。弦楽器１００を肩の上に支持する場合、肩当てを使用しなかったり、また使用しても適切な形状の肩当てでなかったりすると演奏者の鎖骨が圧迫されやすい。鎖骨の下には重要な血管が通っており、こうした重要な組織にダメージが直接伝わらないよう鎖骨自体は折れて衝撃を吸収しやすくなっている。このため鎖骨に外力を受ける状態は演奏者にあまり良い感触は得られず、漠然とした不安感を与えかねない。図４を参照して後述するように、湾曲部１４は演奏者の鎖骨が胸の前方に張り出している部分を回避するように形成する。
【００２７】
図３は本発明の実施形態による弦楽器用肩当ての全体構造を示す図面である。図３（ａ）は弦楽器用肩当ての本体部を弦楽器側から見た平面図であり、図３（ｂ）は板厚方向から見た正面図である。
図３を参照すると、弦楽器用肩当て１は支持部１５側に第１取付け部２０と肩当て部１１の肩当て領域１２側に第２取付け部３０を含む。
第１取付け部２０は、取付けフック２１、スライダ２２、スライダ２２を固定する固定ネジ２４、及びスライダ２２に嵌合される第１台座２３を含む。
【００２８】
取付けフック２１は第１台座２３に取り付けるための支持棒と、支持棒から２方向に分岐しそれぞれの先端部に弦楽器１００に直接掛けられるフック部とを備える。支持棒には第１台座２３に設けられた雌ネジと螺合するように雄ネジが切られ、支持棒をどれだけ螺合させるかによってフック部の高さと向きが調整可能としている。フック部は略コの字状の形状を有し、弦楽器１００の裏板と側板との境界に沿って設けられる突起状のエッジ部に掛けられるように構成される。
【００２９】
スライダ２２はＬ字状の形状を有し、板状の金属材料、樹脂材料等で構成され、Ｌ字の一方は支持部１５の弦楽器１００への取り付け面側に設けられた溝にスライドするように嵌合するスライド部であり、他方は第１台座２３を支持する切り欠きを有する台座支持部である。スライド部には固定ネジ２４を挿通するための穴が複数設けられ、支持部１５に備えられたネジ穴と複数の穴のうちの１つを位置合わせして固定ネジ２４で固定することにより、取付けフック２１の支持部１５に沿う方向の位置を調整可能である。
【００３０】
第１台座２３は直径の異なる３つの円柱が同軸上に積み重なった形状を有し、最も直径の大きい台座部には取付けフック２１を取り付けるためのネジ穴を備える。中央に位置する最も直径の小さい嵌合部はスライダ２２に設けた切り欠きに圧入するように嵌合されて固定される。このとき嵌合の強さを調節して第１台座２３が抵抗を持ちつつ嵌合部の軸周りに回動可能となるように構成してもよいが、実施形態では演奏時にがたつきが出ないよう回動しないように固定する。３つ目の円柱は第１台座２３が軸方向に抜けないようにストッパの役割を果たす。ここでは第１台座２３は直径の異なる３つの円柱が同軸上に積み重なった形状であるとしたが、位置調整が可能なように取付けフック２１が取り付けられれば、形状はこれに限らない。スライダと第１台座２３は別の構成要素とするように示したが、例えばスライダの支持部を厚みのあるブロック状とし、厚みを増したブロック部に取付けフック２１を取り付けるためのネジ穴を備えるようにして第１台座２３とスライダ２２とを一つの構成要素としてもよい。
【００３１】
第２取付け部３０は、取付けフック３１、及び第２台座３２を含む。
取付けフック３１は取付けフック２１と同様、支持棒と２つのフック部を備え、支持棒に設けられたネジにより第２台座３２に高さと向きの調節が可能に取り付けられる。取付けフック３１は取付けフック２１と同一でもよいし、取り付け位置の違いに基づき、フック部の向きや２つのフック部の間隔を取付けフック２１と異なるように構成してもよい。
【００３２】
第２台座３２は円柱の形状を有し、円柱の軸心の部分に取付けフック３１の支持棒を取り付けるためのネジ穴を備える。第２取付け部３０も第１取付け部２０と同様スライダ２２を用いて肩当て領域１２に沿う方向の位置を調整可能としてもよい。実施形態では細かい位置調整は第１取付け部２０側で行うため、第２取付け部３０の第２台座３２は本体部１０にネジ又は接着剤で固定される。
【００３３】
図４は本発明の実施形態による弦楽器用肩当てを使用する場合の演奏者による支持状態を概略的に示す図である。
演奏者が弦楽器用肩当て１を取り付けた弦楽器１００を支持すると、肩当て部１１の内、肩当て領域１２が肩の上に位置し、演奏者の鎖骨２００が胸の前方に張り出してから体の奥に入り込む部分で、弦楽器用肩当て１の湾曲部１４が鎖骨２００と交差するようになる。
このように湾曲部１４が、鎖骨２００の胸の前方に張り出している部分を回避するように湾曲しているため、演奏者の鎖骨２００は圧迫されることがなく、演奏者は安心して弦楽器１００を支持することができる。また、図４の破線の矢印のように、弦楽器１００を支持している方向を変えても、湾曲部１４の効果により鎖骨２００を圧迫することがなく、安定して支持することができる。
【００３４】
このように弦楽器１００を支持する方向を変えても、鎖骨２００が胸の前方に張り出した部分を圧迫しないように、湾曲部１４の曲率半径は顎当て１５０から鎖骨２００が体の奥に入り込む部分までの距離と同等かそれ以上であることが望ましい。
また弦楽器１００を支持する方向を変えても、安定して支持することができることから、演奏者は頸椎を伸ばして無理に弦楽器１００を抑え込まなくても楽な姿勢で演奏ができるため首への負担を軽減することができる。
【００３５】
さらに第１取付け部２０は、従来技術の肩当てに比べて演奏者から遠い位置に取り付けられ、且つ支持部１５が弦楽器１００に向けて立ち下がっているので、弦楽器１００を支持する方向を変える場合も第１取付け部２０や支持部１５が邪魔にならず取り回しがしやすい。
【００３６】
このように本発明の実施形態による弦楽器用肩当て１は、音の響きや音の伸びを低下させることがない上、弦楽器１００を様々な方向に支持しても、演奏者の鎖骨を圧迫することがないことから、演奏者は無理のない姿勢で安定して支持することができ、小柄で手の長くない演奏者にとっても取り回しが容易で使い勝手のよい支持方法を提供することができる。また従来技術の肩当てを使用する場合に比べ、弦楽器１００を少し前方の低い位置でも安定して支持できることから、弦楽器１００を支持する側の肘も楽に動かせるようになり、弦を抑える位置を変更するスライド動作も円滑に行えるようになる。
【００３７】
以上、本発明の実施形態について図面を参照しながら詳細に説明したが、本発明は、上述の実施形態に限定されるものではなく、本発明の技術的範囲から逸脱しない範囲内で多様に変更することが可能である。
【符号の説明】
【００３８】
１    弦楽器用肩当て
１０    本体部
１１    肩当て部
１２    肩当て領域
１３    胸当て領域
１４    湾曲部
１５    支持部
２０    第１取付け部
２１、３１    取付けフック
２２    スライダ
２３    第１台座
２４    固定ネジ
３０    第２取付け部
３２    第２台座
１００    弦楽器
１１０    弦楽器本体
１２０    くびれ部
１３０    弦楽器本体下部
１４０    コーナー部
１５０    顎当て
２００    鎖骨
【図１】
2019211675.tif 000003
【図２】
2019211675.tif 000004
【図３】
2019211675.tif 000005
【図４】
2019211675.tif 000006
【手続補正書】
【提出日】令和1年9月30日(2019.9.30)
【手続補正１】
【補正対象書類名】特許請求の範囲
【補正対象項目名】全文
【補正方法】変更
【補正の内容】
【特許請求の範囲】
【請求項１】
演奏者の肩または胸で一部を支持しながら演奏する弦楽器に取り付けて使用する弦楽器用肩当てであって、
前記弦楽器用肩当ては、一端から他端に延長される板状の本体部と、前記本体部の両端に備えられ、前記本体部を弦楽器本体から離隔して取り付ける第１取付け部及び第２取付け部とを有し、
前記第１取付け部はくびれ部を有する弦楽器のくびれ部と弦楽器本体下部との境界をなすコーナー部を跨ぐように取り付けられ、
前記第２取付け部は弦楽器本体の下部に備えられた顎当て近傍に取り付けられるように構成され、
前記弦楽器用肩当ての本体部は演奏者の肩または胸の体形に合うように湾曲して肩または胸に当接するとともに前記第２取付け部を支持する肩当て部と、前記肩当て部から延長されて前記第１取付け部を支持する支持部とを含み、
前記肩当て部には湾曲部が形成され、前記湾曲部は演奏者の鎖骨の胸の前方に張り出す部分を回避するように湾曲することを特徴とする弦楽器用肩当て。
【請求項２】
前記第１取付け部は弦楽器の高音側の弦に近いくびれ部の一部に掛かるように取り付けられ、
前記第２取付け部は顎当ての前記第１取付け部と対向する側の近傍に取り付けられることを特徴とする請求項１に記載の弦楽器用肩当て。
【手続補正２】
【補正対象書類名】明細書
【補正対象項目名】０００９
【補正方法】変更
【補正の内容】
【０００９】
上記目的を達成するためになされた本発明による弦楽器用肩当ては、演奏者の肩または胸で一部を支持しながら演奏する弦楽器に取り付けて使用する弦楽器用肩当てであって、前記弦楽器用肩当ては、一端から他端に延長される板状の本体部と、本体部の両端に備えられ、前記本体部を弦楽器本体から離隔して取り付ける第１取付け部及び第２取付け部とを有し、前記第１取付け部はくびれ部を有する弦楽器のくびれ部と弦楽器本体下部との境界をなすコーナー部を跨ぐように取り付けられ、前記第２取付け部は弦楽器本体の下部に備えられた顎当て近傍に取り付けられるように構成され、前記弦楽器用肩当ての本体部は演奏者の肩または胸の体形に合うように湾曲して肩または胸に当接するとともに前記第２取付け部を支持する肩当て部と、前記肩当て部から延長されて前記第１取付け部を支持する支持部とを含み、前記肩当て部には湾曲部が形成され、前記湾曲部は演奏者の鎖骨の胸の前方に張り出す部分を回避するように湾曲することを特徴とする。
【手続補正３】
【補正対象書類名】明細書
【補正対象項目名】００１１
【補正方法】削除
【補正の内容】